(57)【要約】【課題】  蛍光灯用に設計されている既存の道路照明灯の構造をそのまま使用することができ、費用や時間を最低限に抑えて、道路照明灯の照明具を蛍光灯からＬＥＤ照明具に取り替えることができるＬＥＤ照明具を提供すること。【解決手段】  本発明に係るＬＥＤ照明具は、ＬＥＤが設けられた本体ケースと、ＬＥＤに電力を供給する電流駆動回路と、前記本体ケースの両側面に幅方向に摺動可能に設けられた左右一対の支持部材とを備え、前記支持部材の外端部に既存の道路照明灯の蛍光灯ソケットに装着可能な形状及び寸法の端子を設け、取り付けるべき照明器具の左右一対の蛍光灯ソケット間の幅に合わせて、前記支持部材を幅方向に摺動させ、適当な位置で前記支持部材の位置を固定することができるように構成されている。【選択図】    図１
2011086499.tif 000002
【特許請求の範囲】
【請求項１】
蛍光灯を取り付けるための左右一対の蛍光灯ソケットを備えた既存の照明器具に取り付けて使用するＬＥＤ照明具であって、
外面に複数のＬＥＤが設けられた本体ケースと、
本体ケースの内部に設けられた、ＬＥＤに電力を供給する電流駆動回路と、
前記本体ケースの両側面に幅方向に摺動可能に設けられた左右一対の支持部材と
を備え、
前記支持部材の外端部に既存の道路照明灯の蛍光灯ソケットに装着可能な形状及び寸法の端子を設け、
前記支持部材の内部に、前記端子と前記電流駆動回路とを接続する電力供給線を設け、
取り付けるべき照明器具の左右一対の蛍光灯ソケット間の幅に合わせて、前記支持部材を幅方向に摺動させ、適当な位置で前記支持部材の位置を固定することができるように構成した
ことを特徴とするＬＥＤ照明具。
【発明の詳細な説明】
【技術分野】
【０００１】
本発明は、蛍光灯を取り付けるように構成された既存の照明器具に用いることができるＬＥＤ照明具に関する。
【背景技術】
【０００２】
従来から、事故の防止を目的として、主要幹線道路や国道等の一般道路や高速道路には、主に車道と照らすことを目的とした道路照明灯が設定されている。
道路照明灯は、地中に埋設されたポールの先端にランプカバーで覆われたランプソケットを設け、該ランプソケットに照明具を装着するタイプが一般的である。
道路照明灯に用いられる照明具としては、水銀灯、ナトリウム灯及び蛍光灯が一般的であり、設置する道路の道幅等によって、どの照明具を使用するかが選択される。具体的には、道幅が広い場合には水銀灯の道路照明灯が用いられ、道幅が狭くなると蛍光灯と道路照明灯が用いられる。また、トンネル等のように天井がある領域では主として蛍光灯が用いられる。
【先行技術文献】
【特許文献】
【０００３】
【特許文献１】特願２００９−１５１２５４
【発明の概要】
【発明が解決しようとする課題】
【０００４】
上記した道路照明灯は、日没付近から翌朝の日の出時間までという長時間の点灯が必要になる。
また、照度も道路の規格、種類及び交通量等に応じて決められており、特に高速道路に設置する照明灯は大きな発光強度が求められる。
照明具にかかる消費電力は照明具の照度に比例して大きくなり、具体的には、例えば、一般道路では高さ８ｍの照明具から平均照度２０Ｌｕｘ以上が必要とされるため、約３００Ｗの水銀灯又はナトリウム灯を使用する必要がある。
従って、照明具を設置する間隔が３０ｍだとすると、１ｋｍの距離がある道路では両側で６６本の道路照明灯が設置されることになり、これらの道路照明灯で消費する電力は１９，８００Ｗになる。
上記したように、従来の道路照明灯は、消費電力が大きすぎるという問題がある。
また、従来の道路照明灯に用いられている水銀灯やナトリウム灯は寿命が短いため短期間での交換が必要になるという問題もある。
発明者は、上記した従来の問題点を解決し、従来の道路照明灯と同じだけの照度を確保しつつ、消費電力及び発熱が共に低く、さらに、長期間交換を行わなくてよい、地球温暖化対策にも適した道路照明灯を提供するために、鋭意研究を重ね、道路照明灯の照明具としてＬＥＤ照明具を使用することに着目をした。
しかし、従来の水銀灯やナトリウム灯専用に設計された道路照明灯をＬＥＤ照明具専用に設計された道路照明灯に取り替えるには、莫大な費用と時間がかかるという問題がある。
発明者は、上記した問題点を解決するために、水銀灯やナトリウム灯用に設計された既存の道路照明灯に、簡単に取り付けることができるＬＥＤ照明具を発明し、該発明を特許出願した（特許文献１）。
発明者は、前記特許出願をした後も、さらに道路照明灯についての研究を重ね、水銀灯やナトリウム灯専用に設計された道路照明灯とは構造が異なる蛍光灯用に設計された道路照明灯についても、既存の道路照明灯の構造をそのまま使用することができるＬＥＤ照明具の開発が必要であることに着目し、本発明を発明するに至った。
本発明は、蛍光灯用に設計されている既存の道路照明灯の構造をそのまま使用することができ、費用や時間を最低限に抑えて、道路照明灯の照明具を蛍光灯からＬＥＤ照明具に取り替えることができるＬＥＤ照明具を提供することを目的としている。
【課題を解決するための手段】
【０００５】
上記した目的を達成するために、本発明に係るＬＥＤ照明具は、蛍光灯を取り付けるための左右一対の蛍光灯ソケットを備えた既存の照明器具に取り付けて使用するＬＥＤ照明具であって、外面に複数のＬＥＤが設けられた本体ケースと、本体ケースの内部に設けられた、ＬＥＤに電力を供給する電流駆動回路と、前記本体ケースの両側面に幅方向に摺動可能に設けられた左右一対の支持部材とを備え、前記支持部材の外端部に既存の道路照明灯の蛍光灯ソケットに装着可能な形状及び寸法の端子を設け、前記支持部材の内部に、前記端子と前記電流駆動回路とを接続する電力供給線を設け、取り付けるべき照明器具の左右一対の蛍光灯ソケット間の幅に合わせて、前記支持部材を幅方向に摺動させ、適当な位置で前記支持部材の位置を固定することができるように構成したことを特徴とする。
【発明の効果】
【０００６】
本発明に係るＬＥＤ照明具は、蛍光灯を取り付けるための左右一対の蛍光灯ソケットを備えた既存の照明器具に取り付けて使用するＬＥＤ照明具であって、外面に複数のＬＥＤが設けられた本体ケースと、本体ケースの内部に設けられた、ＬＥＤに電力を供給する電流駆動回路と、前記本体ケースの両側面に幅方向に摺動可能に設けられた左右一対の支持部材とを備え、前記支持部材の外端部に既存の道路照明灯の蛍光灯ソケットに装着可能な形状及び寸法の端子を設け、前記支持部材の内部に、前記端子と前記電流駆動回路とを接続する電力供給線を設け、取り付けるべき照明器具の左右一対の蛍光灯ソケット間の幅に合わせて、前記支持部材を幅方向に摺動させ、適当な位置で前記支持部材の位置を固定することができるように構成されているので、既存の蛍光灯用道路照明灯のランプソケット間の幅が、如何なる寸法であっても、支持部材の位置を幅方向に調整することで、ＬＥＤ照明具全体の幅を取り付けるべき道路照明灯の蛍光灯の幅に合わせることができる。よって、既存の蛍光灯用道路照明灯の構造をそのまま利用して、照明具を蛍光灯からＬＥＤ照明具に変更することが可能になる。
その結果、既存の道路照明灯の蛍光灯の交換時に、照明具を本発明に係るＬＥＤ照明具に取り替えることができるようになるので、既存の道路照明灯を簡単に、しかも安価にＬＥＤ照明灯に変更することが可能になる。
そして、照明具を蛍光灯からＬＥＤ照明具に変更することによって、消費電力及び発熱を低減することができ、しかも、一度取り替えれば、水銀灯等に比べて長期間交換を行わなくてよくなるという効果を奏する。
また、本発明に係るＬＥＤ照明具は上記した構成を備えているので、道路照明灯に限らず、蛍光灯を装着するように構成された既存の照明器具であれば、如何なる照明器具にも利用することが可能である。
【図面の簡単な説明】
【０００７】
【図１】本発明に係るＬＥＤ照明具の概略平面図である。
【発明を実施するための形態】
【０００８】
以下、添付図面を参照して本発明に係るＬＥＤ照明具の実施の形態について説明していく。
【０００９】
図１は、本発明に係るＬＥＤ照明具１の概略平面図である。
図中符号２は、本体ケースを示している。
図面では一部が省略されているが本体ケース２の外面には複数のＬＥＤ３が取り付けられており、また、本体ケース２の内部には電流駆動回路４が設けられている。前記ＬＥＤ３は、具体的には例えば、５φの超高輝度砲弾型ＬＥＤであり、必要な数のＬＥＤが必要な照度を確保するために配列され得る。
本体ケース２の左右側壁には、ガイド部材５が設けられており、各ガイド部材５に摺動可能に支持部材６が設けられている。
各支持部材６の先端には、既存の蛍光灯用道路照明灯の蛍光灯ソケット（図示せず）に装着可能な端子７が設けられている。
また、各支持部材６の内部には、一端が端子７に接続された電力供給線８が通っており、これら電力供給線８は前記電流駆動回路４に接続されている。
例えば、既存の蛍光灯用道路照明灯は、使用する蛍光灯に応じて１００Ｖや２００Ｖの印加電圧が使用されているが、前記電流駆動回路４によりＬＥＤに供給される電流を定電流にして常の同一の輝度が確保できるように構成されている。
各ガイド部材５には、支持部材６を所定の位置で固定するためのボルト９が設けられている。
上記したように構成されたＬＥＤ照明具によれば、端子７が設けられた支持部材６を、本体ケース２のガイド部材５に摺動可能に設けているので、支持部材６の位置を調整することで、ＬＥＤ照明具全体の幅を取り付けるべき既存の照明器具の蛍光灯の幅に合わせることができる。
従って、既存の蛍光灯用照明器具のランプソケット間の幅が、如何なる寸法であっても、支持部材６の位置を調整することで、ＬＥＤ照明具全体の幅を取り付けるべき照明器具の蛍光灯の幅に合わせることができるので、既存の蛍光灯用照明器具の構造をそのまま利用して、照明具を蛍光灯からＬＥＤ照明具に変更することが可能になる。
【００１０】
上記した実施例では、支持部材６をガイド部材５に摺動可能に挿入して、ボルト９を用いて支持部材６をガイド部材５に固定するように構成されているが、支持部材６をガイド部材５に固定する構成は本実施例に限定されることなく、任意の位置で支持部材６をガイド部材５に固定することができれば、如何なる構成でもよく、具体的には、例えば、ラッチ構造を用いて固定するように構成してもよく、また、支持部材６の外面にネジ溝を形成して支持部材６にナットを取り付け、ナットで支持部材６の位置を固定するように構成してもよい。
【符号の説明】
【００１１】
１  ＬＥＤ照明具
２  本体ケース
３  ＬＥＤ
４  電流駆動回路
５  ガイド部材
６  支持部材
７  端子
８  電力供給線
９  ボルト
【図１】
2011086499.tif 000003